(57)【要約】【課題】操作子によって引っ張られて警報動作を開始させるためのスイッチが破損されることを防止する警報装置を提供すること。【解決手段】本体内部に設けた警報動作を開始させるためのスイッチ１３に本体外部にある操作子１５をストラップ１４で連結するために、ストラップ１４の端に係合体１６を取り付け、係合体１６が収納されて係合する係合用凹部１７を操作子１５に形成し、係合体１６と係合用凹部１７の係合部分に、スイッチ１３を作動させた後にスイッチ１３を破損させるまでに至らない張力がストラップ１４に発生したときに破断する破断部１９を形成し、操作子１５が異常状態の発生によって強く引っ張られても、スイッチ１３が破損する張力の発生前に破断部１９が破断して、操作子１５とストラップ１４とを分離させる。【選択図】図５
2008131135.tif 000002
【特許請求の範囲】
【請求項１】
本体内部に設けた警報動作を開始させるためのスイッチに該本体外部にある操作子をストラップで連結し、該操作子により該ストラップを引っ張り、該スイッチを作動させて警報を発生させる警報装置において、
前記操作子の連結される側の前記ストラップの端に取り付けられた係合体と、
前記係合体が収納されて係合する前記操作子に形成された係合用凹部と、
前記係合体と前記係合用凹部の係合部分に形成した、前記スイッチを作動させた後に該スイッチを破損させるまでに至らない張力が前記ストラップに発生したときに破断して係合状態を解除する破断部と、を備えていることを特徴とする警報装置。
【請求項２】
前記破断部は、前記係合体に設けたことを特徴とする請求項１に記載の警報装置。
【請求項３】
前記操作子は、リング状に形成されていることを特徴とする請求項１に記載の警報装置。
【請求項４】
本体内部に設けた警報動作を開始させるためのスイッチに該本体外部にある操作子をストラップで連結し、該操作子により該ストラップを引っ張り、該スイッチを作動させて警報を発生させる警報装置において、
その内部に前記ストラップの結び目を収める矩形の枠部と、柱部とにより全体的にＴ字状に形成した係合体と、
前記操作子がリング状であって、該リング状の内側に設けられて前記係合体を収納する係合用凹部と、
前記係合用凹部の底部と前記操作子の外側とを連ねて形成され、前記柱部が挿入される貫通孔と、
前記柱部の軸方向に沿って前記ストラップを挿入するように形成した溝と、
前記係合体における前記係合用凹部に当接する辺を肉薄状にして前記スイッチを作動させた後に該スイッチを破損させるまでに至らない張力が前記ストラップに発生したときに破断して該係合体と前記柱部とを分離する破断部と、を備えていることを特徴とする警報装置。
【請求項５】
本体内部に設けた警報動作を開始させるためのスイッチに該本体外部にある操作子をストラップで連結し、該操作子により該ストラップを引っ張り、該スイッチを作動させて警報を発生させる警報装置に用いるストラップにおいて、
前記操作子の連結される側の前記ストラップの端に取り付けられた係合体と、
前記係合体が収納されて係合する前記操作子に形成された係合用凹部と、
前記係合体と前記係合用凹部の係合部分に形成した、前記スイッチを作動させた後に該スイッチを破損させるまでに至らない張力が前記ストラップに発生したときに破断して係合状態を解除する破断部と、を備えていることを特徴とするストラップ。
【請求項６】
前記破断部は、前記係合体に設けたことを特徴とする請求項５に記載のストラップ。
【請求項７】
前記操作子は、リング状に形成されていることを特徴とする請求項５に記載のストラップ。
【請求項８】
本体内部に設けた警報動作を開始させるためのスイッチに該本体外部にある操作子をストラップで連結し、該操作子により該ストラップを引っ張り、該スイッチを作動させて警報を発生させる警報装置に用いるストラップにおいて、
その内部に前記ストラップの結び目を収める矩形の枠部と、柱部とにより全体的にＴ字状に形成した係合体と、
前記操作子がリング状であって、該リング状の内側に設けられて前記係合体を収納する係合用凹部と、
前記係合用凹部の底部と前記操作子の外側とを連ねて形成され、前記柱部が挿入される貫通孔と、
前記柱部の軸方向に沿って前記ストラップを挿入するように形成した溝と、
前記係合体における前記係合用凹部に当接する辺を肉薄状にして前記スイッチを作動させた後に該スイッチを破損させるまでに至らない張力が前記ストラップに発生したときに破断して該係合体と前記柱部とを分離する破断部と、を備えていることを特徴とするストラップ。
【発明の詳細な説明】
【技術分野】
【０００１】
本発明は、本体内部に設けた警報動作を開始させるためのスイッチに該本体外部にある操作子をストラップで連結し、該操作子により該ストラップを引っ張り、該スイッチを作動させて警報を発生させる警報装置に係り、該操作子を強く引っ張ったときに該スイッチを破損させてしまうことを防止する警報装置および警報装置に用いるストラップに関するものである。
【背景技術】
【０００２】
従来、警報装置としては、切迫した緊急時における警報を発する操作に対し、容易性の観点からストラップを引っ張るようにしたものが多く採用されている。
【０００３】
例えば、下記の特許文献１（特開２０００−１８４０２１号公報）に開示されたように、携帯電話機に防犯ブザーの機能を加えた防犯ブザー機能付き携帯電話機であって、携帯ストラップを引いて防犯ブザーを発生させるもがある。すなわち、この技術は、前記携行用ストラップを防犯スイッチ操作部と兼用させたものである。具体的には、携帯ストラップの一端に設けられた防犯スイッチ操作部を着脱することでＯＮ／ＯＦＦする携帯ストラップスイッチ機構を有する。この携帯ストラップスイッチ機構は、防犯スイッチ操作部を携帯ストラップスイッチ機構に挿入した状態では、電源部から鳴動部への電力供給を停止して防犯ブザーを発生させない。
【０００４】
一方、携帯ストラップを引っ張って防犯スイッチ操作部を携帯ストラップスイッチ機構から引き抜くと、携帯ストラップスイッチ機構は、電源部から鳴動部に電力供給を供給して防犯ブザーを発生させる。ここで、鳴動中の防犯ブザーを停止させるためには、防犯スイッチ操作部を携帯ストラップスイッチ機構に挿入して電源部から鳴動部への電力供給を停止する。
【０００５】
上記特許文献１（特開２０００−１８４０２１号公報）に開示された従来技術は、防犯ブザーの停止が防犯スイッチ操作部を携帯ストラップスイッチ機構に挿入する簡単な操作で達成できる。そのため、使用者の意図に反して防犯ブザーが停止されてしまい、警報機能として満足できるものでなかった。
【０００６】
そこで、下記の特許文献２（特開２００２−５７８１６号公報）に開示されたように、防犯ブザーの停止が不用意に行われないようにしたものが提案されている。この技術は、防犯ブザーの発生を停止させるための停止手段が暗証番号の入力によって制御されるように構成したものである。そのため、使用者が暗証番号を入力しない限り防犯ブザーが発生を続けて警報機としての機能を高めている。
【０００７】
すなわち、特許文献２に開示された携帯電話は、携帯電話本体が番号記号ボタンを備え、防犯ブザ−、電話番号記憶手段、通信手段および暗証番号記憶手段が携帯電話本体に内蔵されている。また、防犯ブザーの入力スイッチが携帯電話本体に設けられている。そして、通信手段は防犯ブザーの作動から所定時間経過後に、電話番号記憶手段に記憶される電話番号先に対して通信し、停止手段は暗証番号記憶手段により記憶された暗証番号を番号記号ボタンで入力することにより防犯ブザーを停止させるようにしたものである。
【０００８】
ここで、特許文献１と特許文献２との技術を併せて警報装置を形成し、操作の容易性と高い警報機能の維持とが考慮された警報装置を得ることが考えられる。即ち、警報装置の本体に設けた警報動作を開始させるためのスイッチに操作子をストラップで連結し、該操作子を引っ張ることにより該スイッチを作動させて警報を発生させ、警報の発生の停止を暗証番号などの入力による方法をとることが考えられる。
【特許文献１】特開２０００−１８４０２１号公報（段落［０００７］〜、段落［０００９］、図２）
【特許文献２】特開２００２−５７８１６号公報（段落［００１４］〜、段落［００１７］）
【発明の開示】
【発明が解決しようとする課題】
【０００９】
しかしながら、上述した従来技術のようにスイッチをストラップで作動させる警報装置は、切迫した緊急時にストラップを強く引っ張ってストラップに大きな張力を発生させてしまう。そのため、スイッチを破損させてしまうことがある。このスイッチは警報装置内にあり、破損した場合にその修理が面倒であるという問題点があった。
【００１０】
そこで、本発明は、上述したような従来の問題点を除去した警報装置を提供することを目的とする。
【課題を解決するための手段】
【００１１】
前記課題を解決するために、本願の請求項１にかかる発明は、本体内部に設けた警報動作を開始させるためのスイッチに該本体外部にある操作子をストラップで連結し、該操作子により該ストラップを引っ張り、該スイッチを作動させて警報を発生させる警報装置において、前記操作子の連結される側の前記ストラップの端に取り付けられた係合体と、前記係合体が収納されて係合する前記操作子に形成された係合用凹部と、前記係合体と前記係合用凹部の係合部分に形成した、前記スイッチを作動させた後に該スイッチを破損させるまでに至らない張力が前記ストラップに発生したときに破断して係合状態を解除する破断部と、を備えていることを特徴とする。
【００１２】
また、本願の請求項２に記載の発明は、請求項１に記載の警報装置において、前記破断部は、前記係合体に設けたことを特徴とする。
また、本願の請求項３に記載の発明は、請求項１に記載の警報装置において、前記操作子は、リング状に形成されていることを特徴とする。
【００１３】
また、本願の請求項４に記載の発明は、本体内部に設けた警報動作を開始させるためのスイッチに該本体外部にある操作子をストラップで連結し、該操作子により該ストラップを引っ張り、該スイッチを作動させて警報を発生させる警報装置において、その内部に前記ストラップの結び目を収める矩形の枠部と、柱部とにより全体的にＴ字状に形成した係合体と、前記操作子がリング状であって、該リング状の内側に設けられて前記係合体を収納する係合用凹部と、前記係合用凹部の底部と前記操作子の外側とを連ねて形成され、前記柱部が挿入される貫通孔と、前記柱部の軸方向に沿って前記ストラップを挿入するように形成した溝と、前記係合体における前記係合用凹部に当接する辺を肉薄状にして前記スイッチを作動させた後に該スイッチを破損させるまでに至らない張力が前記ストラップに発生したときに破断して該係合体と前記柱部とを分離する破断部と、を備えていることを特徴とする。
【００１４】
また、本願の請求項５に記載の発明は、本体内部に設けた警報動作を開始させるためのスイッチに該本体外部にある操作子をストラップで連結し、該操作子により該ストラップを引っ張り、該スイッチを作動させて警報を発生させる警報装置に用いるストラップにおいて、前記操作子の連結される側の前記ストラップの端に取り付けられた係合体と、前記係合体が収納されて係合する前記操作子に形成された係合用凹部と、前記係合体と前記係合用凹部の係合部分に形成した、前記スイッチを作動させた後に該スイッチを破損させるまでに至らない張力が前記ストラップに発生したときに破断して係合状態を解除する破断部と、を備えていることを特徴とする。
【００１５】
また、本願の請求項６に記載の発明は、請求項５に記載のストラップにおいて、前記破断部は、前記係合体に設けたことを特徴とする。
【００１６】
また、本願の請求項７に記載の発明は、請求項５に記載のストラップにおいて、前記操作子は、リング状に形成されていることを特徴とする。
【００１７】
また、本願の請求項８に記載の発明は、本体内部に設けた警報動作を開始させるためのスイッチに該本体外部にある操作子をストラップで連結し、該操作子により該ストラップを引っ張り、該スイッチを作動させて警報を発生させる警報装置に用いるストラップにおいて、その内部に前記ストラップの結び目を収める矩形の枠部と、柱部とにより全体的にＴ字状に形成した係合体と、前記操作子がリング状であって、該リング状の内側に設けられて前記係合体を収納する係合用凹部と、前記係合用凹部の底部と前記操作子の外側とを連ねて形成され、前記柱部が挿入される貫通孔と、前記柱部の軸方向に沿って前記ストラップを挿入するように形成した溝と、前記係合体における前記係合用凹部に当接する辺を肉薄状にして前記スイッチを作動させた後に該スイッチを破損させるまでに至らない張力が前記ストラップに発生したときに破断して該係合体と前記柱部とを分離する破断部と、を備えていることを特徴とする。
【発明の効果】
【００１８】
本発明は、上述した解決手段により以下に述べる通りの優れた効果を奏する。即ち、本願の請求項１、請求項５に係る発明によれば、前記操作子が異常状態の発生によって強く引っ張られても、前記ストラップに発生する張力が前記スイッチを作動させた後に破損させるまでに至らない値で、係合部分の前記破断部が破断し、係合状態が解除されて前記操作子と前記ストラップとが分離してしまう。そのために、修理の面倒な前記スイッチが異常な力を受けて破損されることがない警報装置および警報装置に用いるストラップを提供できる。
【００１９】
また、本願の請求項２、請求項６に係る発明は、前記係合体のみが破断するので、交換が容易な係合体を新しいものに換えるだけで警報装置および警報装置に用いるストラップを修復して再使用できる効果を有する。
【００２０】
また、本願の請求項３、請求項７に係る発明によれば、前記操作子のリング部分に指を掛けて引っ張ることができるため、操作を確実に行うことができる警報装置および警報装置に用いるストラップを提供できる。
【００２１】
また、本願の請求項４、請求項８に係る発明によれば、以下の効果を有す警報装置および警報装置に用いるストラップを提供できる。
【００２２】
第一に、前記操作子が異常状態の発生によって強く引っ張られても、前記ストラップに発生する張力が前記スイッチを作動させた後に破損させるまでに至らない値で、前記係合体の前記破断部が破断し、前記係合体と柱部が分離する。この分離した柱部が前記ストラップと共に前記操作子から分離されるので、修理の面倒な前記スイッチが異常な力を受けて破損されることがなくなる
第二に、前記係合体のみが破断するので、該係合体を新しいものに換えるだけで警報装置を再生させて使用できる。しかも、前記係合体を新しいものに換える作業は、該係合体の枠部に前記ストラップの結び目を収めると共に、該ストラップを前記溝に挿入するだけで該ストラップの端に該係合体を取り付けられる。そして、前記係合体を前記係合用凹部に収納し、前記柱部を前記貫通孔に挿入するだけで前記ストラップに前記操作子を連結することができる。そのため、警報装置の修復が簡単な作業で確実にできる。
【００２３】
第三に、前記操作子のリング部分に指を掛けて引っ張ることができるため、操作が確実に行うことができる。
【発明を実施するための最良の形態】
【００２４】
以下、図面を参照して本発明の最良の実施形態を説明する。ただし、以下に示す実施形態は、本発明の技術思想を具体化するための警報装置を例示するものであって、本発明をこの警報装置に特定することを意図するものではなく、特許請求の範囲に含まれるその他の実施形態のものも等しく適用し得るものである。
【実施例】
【００２５】
以下、本発明の実施例について図面を参照して説明する。図１は本発明の実施形態に係る警報装置の説明図、図２は図１における係合体を示す斜視図、図３は図１における操作子を示す斜視図、図４は図３における操作子を一部断図として示す正面図、図５は図１におけるストラップの端に操作子を連結する状態を示す斜視図である。
【００２６】
図１に示すように、警報装置１は携帯電話機に一体に組み込まれており、本体１０内部に設けた警報を発生するブザー１１と、同じく本体１０内部に設けられブザー１１の動作を制御する制御部１２と、同じく本体１０内部に設けられ制御部１２の制御動作を行うスイッチ１３と、スイッチ１３の作動子１３１に一端が連結され他端が本体１０の外部に引き出されたストラップ１４とから構成されている。
【００２７】
ストラップ１４の他端にはリング状の操作子１５が連結されている。この操作子１５は使用者が指を掛けて引っ張ることによりストラップ１４を介して作動子１３１を作動させるようになっている。
【００２８】
ストラップ１４と操作子１５との連結部分は、ストラップ１４の他端、即ち、ストラップ１４における操作子１５を連結する側の端に取付けられた係合体１６と、係合体１６を収納するために操作子１５に形成された係合用凹部１７とから構成されている。
【００２９】
係合体１６は、図２に示すように、矩形の枠部１６１と柱部１６２とからなっており、全体的にＴ字状に形成されている。
【００３０】
係合用凹部１７は、図３、図４に示すように、操作子１５におけるリング状の内側に設けられている。また、係合用凹部１７は枠部１６１が挿入される箱状の形状になっている。係合用凹部１７の底と操作子１５の外側との間は、柱部１６２が挿入されるように貫通孔１８によって連なっている。柱部１６２には、その軸方向にストラップ１４が挿入される溝１６３が形成されている。
【００３１】
図５に示すように、係合体１６のストラップ１４の他端に結び目１４１が作られている状態で、この結び目１４１を係合体１６の枠内に収めると共に、ストラップ１４を溝１６３に挿入することにより、ストラップ１４と係合体１６とが一体化されるようになっている。
【００３２】
ストラップ１４を矢印Ａで示す方向に引っ張ると、係合体１６は係合用凹部１７内に収められるようなっている。この状態においては、係合用凹部１７の底面が受け面１７１となり、受け面１７１と当接する係合体１６の辺とにより係合部分を形成している。そして、この辺は肉薄状に形成されて破断部１９を構成する。
【００３３】
破断部１９は、スイッチ１３が作動するが破損されるまでに至らない値の張力がストラップ１４に発生したときに、破断するように肉薄になっている。即ち、スイッチ１３が作動された後に、ストラップ１４が更に大きな力で引っ張られ、スイッチ１３が破損されてしまう前に、破断部１９が破断するようになっている。破断部１９が破断されると、柱部１６２が枠部１６１と分離されてストラップ１４と共に貫通孔１８から抜け出るようになっている。
【００３４】
上述した本発明の実施例による警報装置１について、ストラップ１４の端に操作子１５を連結する手順について説明する。
【００３５】
まず、ストラップ１４の端には貫通孔１８を通過できる大きさの結び目１４１を作る。そして、結び目１４１は係合体１６の枠部１６１内に収める。この状態で、ストラップ１４は溝１６３に挿入する。次に、ストラップ１４の端に取り付けられた係合体１６は、矢印Ａで示す方向に引っ張って貫通孔１７１内に円柱部１６２を挿入し、係合用凹部１７に枠部１６１を収納する。その結果、ストラップ１４の端に係合体１６が取り付けられる。
【００３６】
次に、警報装置１の動作について説明する。通常は、制御部１２がブザー１１を動作させないように設定されている。異常状態が発生すると、使用者は警報を発生するために操作子１５に指を掛けて引っ張る操作を行う。この操作によって作動子１３１が作動してスイッチ１３を切換えて制御部１２の制御動作を行わせる。この制御によってブザー１１は警報を発生する。
【００３７】
制御部１２は、一旦ブザー１１を動作させように制御した後には、スイッチ１３の切換え操作などによってブザー１１の停止を行うことができない。
【００３８】
従って、ブザー１１の警報動作は継続されるが、これを停止させる場合には、使用者が暗証番号を入力して制御部１２によりブザー１１の警報動作を停止させる。
【００３９】
使用者は、往々にして異常状態発生の場合、大きな力で操作子１５を引っ張ってしまうので、ストラップ１４に大きな張力が発生する。この場合、スイッチ１３が作動された後に、破断部１９は受け面１７１に強く当って破断されてしまう。そのため、円柱部１６２は枠部１６１から分離されてストラップ１４とともに貫通孔１８から抜け出る。
【００４０】
従って、係合体１６と操作子１５の貫通孔１８係合用凹部体１７との係合状態が解除され、操作子１５がストラップ１４から分離される。
【００４１】
上述した本発明の実施例によれば、操作子１５が異常状態の発生によって強く引っ張られても、ストラップ１４に発生する張力がスイッチ１３を作動させた後に破損させるまでに至らない値で、係合部分の破断部１９が破断し、係合状態が解除されて操作子１５とストラップ１４とが分離してしまう。そのために、修理の面倒なスイッチ１３が異常な力を受けて破損されることがなくなる。
【００４２】
また、破断部１９は係合体１６に形成されており、破断によって係合体１６と柱部１６２とが分離する。そのため、交換が容易な係合体１６を新しいものに換えるだけで警報装置１を再生させて使用できる。係合体１６を新しいものに換える作業は、係合体１６の枠部１６１に結び目１４１を収めると共に、ストラップ１４を溝１６３に挿入するだけでストラップ１４の端に係合体１６を取り付けられる。
【００４３】
そして、係合体１６を係合用凹部１７に収納し、柱部１６２を貫通孔１８に挿入するだけでストラップ１４に操作子１５を連結することができる。そのため、警報装置１の修復が簡単な作業により確実にできる。
【００４４】
更に、操作は、操作子１５のリング部分に指を掛けて引っ張るので確実に行うことができる。
【００４５】
なお、本発明の実施例においては、破断部１９を係合体１６に形成したが、操作子１５に形成してもよい。この場合、破断部１９が破断した後に修復する際には、操作子１５を新しいものに交換すればよい。
【図面の簡単な説明】
【００４６】
【図１】図１は本発明の実施形態に係る警報装置の説明図である。
【図２】図２は図１における係合体を示す斜視図である。
【図３】図３は図１における操作子を示す斜視図である。
【図４】図４は図３における操作子を一部断図として示す正面図本である。
【図５】図５は図１におけるストラップの端に操作子を連結する状態を示す斜視図である。
【符号の説明】
【００４７】
１              警報装置
１０            本体
１１            ブザー
１２            制御部
１３            スイッチ
１４            ストラップ
１５            操作子
１６            係合体
１７            係合用凹部
１８            貫通孔
１９            破断部
１３１          作動子
１４１          結び目
１６１          枠部
１６２          柱部
１６３          溝
１７１          受け面
【図１】
2008131135.tif 000003
【図２】
2008131135.tif 000004
【図３】
2008131135.tif 000005
【図４】
2008131135.tif 000006
【図５】
2008131135.tif 000007